(57)【要約】【課題】  ダイナミックレンジを確保しつつ、熱ノイズを低減すること。【解決手段】  測光の結果に基づいて、互いに異なる少なくとも２種類の撮影条件を演算する演算部と、演算部により演算された第１の撮影条件で被写界を繰り返し撮像し、複数枚の画像を生成するとともに、第１の撮影条件とは異なる第２の撮影条件で被写界を撮像し、複数枚の画像を生成する撮像部と、第１の撮影条件にしたがって生成された複数枚の画像を合成することによりノイズ低減処理を行い、第１の合成画像を生成する第１の合成部と、第２の撮影条件にしたがって生成された複数枚の画像を合成することによりノイズ低減処理を行い、第２の合成画像を生成する第２の合成部と、第１の合成画像と第２の合成画像とを合成することによりダイナミックレンジ拡大処理を行い、第３の合成画像を生成する第３の合成部と、第３の合成画像を記録する記録部とを備える。【選択図】    図１
2013168724.tif 000002
【特許請求の範囲】
【請求項１】
測光の結果に基づいて、互いに異なる少なくとも２種類の撮影条件を演算する演算部と、
前記演算部により演算された第１の撮影条件で被写界を繰り返し撮像し、複数枚の画像を生成するとともに、前記第１の撮影条件とは異なる第２の撮影条件で前記被写界を撮像し、複数枚の画像を生成する撮像部と、
前記第１の撮影条件にしたがって生成された複数枚の画像を合成することによりノイズ低減処理を行い、第１の合成画像を生成する第１の合成部と、
前記第２の撮影条件にしたがって生成された複数枚の画像を合成することによりノイズ低減処理を行い、第２の合成画像を生成する第２の合成部と、
前記第１の合成画像と前記第２の合成画像とを合成することによりダイナミックレンジ拡大処理を行い、第３の合成画像を生成する第３の合成部と、
前記第３の合成画像を記録する記録部と
を備えたことを特徴とする撮像装置。
【請求項２】
請求項１に記載の撮像装置において、
前記演算部は、前記測光の結果に基づいて、前記撮影条件として、シャッタスピードと、絞り値と、ＩＳＯ感度と、前記撮像部による繰り返し撮像の分割数との少なくとも１つを演算する
ことを特徴とする撮像装置。
【請求項３】
請求項１または請求項２に記載の撮像装置において、
前記第１の撮影条件にしたがって生成された複数枚の画像、および、前記第２の撮影条件にしたがって生成された複数枚の画像に対して、暗電流成分を補正する処理を施す補正部を備え、
前記第１の合成部は、前記補正部による前記暗電流成分の補正後に、前記第１の合成画像を生成し、
前記第２の合成部は、前記補正部による前記暗電流成分の補正後に、前記第2の合成画像を生成する
ことを特徴とする撮像装置。
【請求項４】
請求項３に記載の撮像装置において、
前記補正部による前記暗電流成分の補正を行うか否かを判定する判定部を備え、
前記補正部は、前記判定部により前記暗電流成分の補正を行うと判定された場合のみ、前記暗電流成分の補正を行う
ことを特徴とする撮像装置。
【請求項５】
測光の結果に基づいて、互いに異なる少なくとも２種類の撮影条件を演算する演算部と、
前記演算部により演算された第１の撮影条件で被写界を繰り返し撮像し、複数枚の画像を生成するとともに、前記第１の撮影条件とは異なる第２の撮影条件で前記被写界を撮像し、複数枚の画像を生成する撮像部とを備えた撮像装置により生成された画像に対する処理をコンピュータで実行するための画像処理プログラムであって、
前記第１の撮影条件にしたがって生成された複数枚の画像を合成することによりノイズ低減処理を行い、第１の合成画像を生成する第１の合成ステップと、
前記第２の撮影条件にしたがって生成された複数枚の画像を合成することによりノイズ低減処理を行い、第２の合成画像を生成する第２の合成ステップと、
前記第１の合成画像と前記第２の合成画像とを合成することによりダイナミックレンジ拡大処理を行い、第３の合成画像を生成する第３の合成ステップと、
前記第３の合成画像を記録する記録ステップと
を備えたことを特徴とする画像処理プログラム。
【請求項６】
請求項５に記載の画像処理プログラムにおいて、
前記第１の撮影条件にしたがって生成された複数枚の画像、および、前記第２の撮影条件にしたがって生成された複数枚の画像に対して、暗電流成分を補正する処理を施す補正ステップを備え、
前記第１の合成ステップでは、前記補正ステップにおける前記暗電流成分の補正後に、前記第１の合成画像を生成し、
前記第２の合成ステップでは、前記補正ステップにおける前記暗電流成分の補正後に、前記第２の合成画像を生成する
ことを特徴とする画像処理プログラム。
【請求項７】
請求項６に記載の画像処理プログラムにおいて、
前記補正ステップによる前記暗電流成分の補正を行うか否かを判定する判定ステップを備え、
前記補正ステップでは、前記判定ステップにおいて前記暗電流成分の補正を行うと判定された場合のみ、前記暗電流成分の補正を行う
ことを特徴とする画像処理プログラム。
【発明の詳細な説明】
【技術分野】
【０００１】
本発明は、撮像装置および画像処理プログラムに関する。
【背景技術】
【０００２】
従来より、撮像素子において、発熱等に起因する熱ノイズ（固定パターンノイズ）が発生することが知られている。このような問題に対応するため、特許文献１の発明では、撮像素子への入射光が無い状態で得られた基準暗黒画像データを用いて、被写体の露光データを補正する技術が開示されている。
【先行技術文献】
【特許文献】
【０００３】
【特許文献１】特開２０１０−１４１５８３号公報
【発明の概要】
【発明が解決しようとする課題】
【０００４】
特許文献１の技術によれば、上述した熱ノイズの問題をある程度解決することが可能である。しかし、熱ノイズの発生量が多い場合には、実際の露光データから減算される値（基準暗黒画像データに基づく値）が大きくなってしまうため、ダイナミックレンジが制限されてしまい、黒から白までの十分な階調幅が得られないという問題がある。
【０００５】
本発明は上記問題に鑑みてなされたものであり、ダイナミックレンジを確保しつつ、熱ノイズを低減することを目的とする。
【課題を解決するための手段】
【０００６】
本発明の撮像装置は、測光の結果に基づいて、互いに異なる少なくとも２種類の撮影条件を演算する演算部と、前記演算部により演算された第１の撮影条件で被写界を繰り返し撮像し、複数枚の画像を生成するとともに、前記第１の撮影条件とは異なる第２の撮影条件で前記被写界を撮像し、複数枚の画像を生成する撮像部と、前記第１の撮影条件にしたがって生成された複数枚の画像を合成することによりノイズ低減処理を行い、第１の合成画像を生成する第１の合成部と、前記第２の撮影条件にしたがって生成された複数枚の画像を合成することによりノイズ低減処理を行い、第２の合成画像を生成する第２の合成部と、前記第１の合成画像と前記第２の合成画像とを合成することによりダイナミックレンジ拡大処理を行い、第３の合成画像を生成する第３の合成部と、前記第３の合成画像を記録する記録部とを備える。
【０００７】
なお、前記演算部は、前記測光の結果に基づいて、前記撮影条件として、シャッタスピードと、絞り値と、ＩＳＯ感度と、前記撮像部による繰り返し撮像の分割数との少なくとも１つを演算しても良い。
【０００８】
また、前記第１の撮影条件にしたがって生成された複数枚の画像、および、前記第２の撮影条件にしたがって生成された複数枚の画像に対して、暗電流成分を補正する処理を施す補正部を備え、前記第１の合成部は、前記補正部による前記暗電流成分の補正後に、前記第１の合成画像を生成し、前記第２の合成部は、前記補正部による前記暗電流成分の補正後に、前記第２の合成画像を生成しても良い。
【０００９】
また、前記補正部による前記暗電流成分の補正を行うか否かを判定する判定部を備え、前記補正部は、前記判定部により前記暗電流成分の補正を行うと判定された場合のみ、前記暗電流成分の補正を行っても良い。
【００１０】
なお、上記各発明に関する構成を、上述した各撮像装置の撮像部により生成された画像に対する処理をコンピュータで実行するための画像処理プログラムに変換して表現したものも本発明の具体的態様として有効である。
【発明の効果】
【００１１】
本発明によれば、ダイナミックレンジを確保しつつ、熱ノイズを低減することができる。
【図面の簡単な説明】
【００１２】
【図１】実施形態の電子カメラ１１の構成を示すブロック図
【図２】実施形態におけるＣＰＵ１４の動作を示すフローチャート
【図３】実施形態のコンピュータ３１の構成を示すブロック図
【発明を実施するための形態】
【００１３】
以下、図面を用いて本発明の実施形態について説明する。以下では、電子カメラを例に挙げて説明する。
【００１４】
図１は、実施形態における電子カメラ１１の構成を示すブロック図である。電子カメラ１１は、撮像光学系１２と、撮像素子１３と、ＣＰＵ１４と、ＲＯＭ１５と、メインメモリ１６と、記録Ｉ／Ｆ１７と、ユーザの操作を受け付ける操作部１８と、不図示のモニタを備えた表示部１９とを有している。ここで、撮像素子１３、ＲＯＭ１５、メインメモリ１６、記録Ｉ／Ｆ１７、操作部１８および表示部１９は、それぞれＣＰＵ１４に接続されている。
【００１５】
撮像素子１３は、撮像光学系１２によって結像される被写体の像を撮像し、撮像した画像の画像信号を生成する撮像デバイスである。なお、撮像素子１３は、公知技術と同様に、予め素子が遮光されているオプティカルブラック領域（以下ＯＢ領域と称する）を含む。また、撮像素子１３から出力された画像信号は、Ａ／Ｄ変換回路（不図示）を介してＣＰＵ１４に入力される。
【００１６】
ＣＰＵ１４は、電子カメラ１１の動作を統括的に制御するプロセッサである。例えば、ＣＰＵ１４は、プログラムの実行により、撮像した画像のデータに対して各種の画像処理（色補間処理、階調変換処理、輪郭強調処理、ホワイトバランス調整、色変換処理など）を施す。また、ＣＰＵ１４は、プログラムの実行により、画像の重ね合わせ処理やハイダイナミックレンジ処理を行う（詳細は後述する）。
【００１７】
ＲＯＭ１５には、ＣＰＵ１４によって実行されるプログラムが記憶されている。また、メインメモリ１６は、画像処理の前工程や後工程で画像のデータを一時的に記憶する。
【００１８】
記録Ｉ／Ｆ１７は、不揮発性の記憶媒体２２を接続するためのコネクタを有している。そして、記録Ｉ／Ｆ１７は、コネクタに接続された記憶媒体２２に対してデータの書き込み／読み込みを実行する。上記の記憶媒体２２は、ハードディスクや、半導体メモリを内蔵したメモリカードなどで構成される。なお、図１では記憶媒体２２の一例としてメモリカードを図示する。
【００１９】
表示部１９は、ＣＰＵ１４から取得した画像データを表示する。
【００２０】
以上説明した電子カメラ１１における撮像時のＣＰＵ１４の動作について、図２に示すフローチャートを参照して説明する。
【００２１】
ステップＳ１０１において、ＣＰＵ１４は、測光および撮影条件の演算を行う。ＣＰＵ１４は、まず、撮像光学系１２および撮像素子１３を制御して測光用の撮像を行う。そして、生成した画像を複数の領域に分割し、測光値の最小値（以下ＢＶｍｉｎと称する）および最大値（以下ＢＶｍａｘと称する）を求める。
【００２２】
そして、測光値ＢＶｍｉｎに基づいて、後述するステップＳ１０２で用いる撮影条件の演算を行うと共に、測光値ＢＶｍａｘに基づいて、後述するステップＳ１０３で用いる撮影条件の演算を行う。撮影条件には、シャッタスピード（Ｓ１およびＳ２）、絞り値（Ａ１およびＡ２）、ＩＳＯ感度（Ｉ１およびＩ２）、分割露光回数（Ｎ１およびＮ２）が含まれる。なお、ＣＰＵ１４は、演算により求めた撮影条件をメインメモリ１６等に一時記憶する。
【００２３】
後述するステップＳ１０２の撮像は、被写界中の暗い部分に関して適正露出を得る撮像である。そこで、ＣＰＵ１４は、測光値ＢＶｍｉｎに基づいて、シャッタスピードＳ１、絞り値Ａ１、ＩＳＯ感度Ｉ１を演算すると共に、求めたシャッタスピードＳ１およびＩＳＯ感度Ｉ１に応じて、分割露光回数Ｎ１を演算する。分割露光数Ｎ１は、予め定められたシャッタスピード、ＩＳＯ感度に基づくテーブルを用いて求められる。このテーブルは、シャッタスピードおよびＩＳＯ感度に応じて発生するランダムノイズの量に基づき、このランダムノイズを打ち消すのに必要な分割数を求めるためのテーブルである。
【００２４】
一方、後述するステップＳ１０３の撮像は、被写界中の明るい部分に関して適正露出を得る撮像である。そこで、ＣＰＵ１４は、測光値ＢＶｍａｘに基づいて、シャッタスピードＳ２、絞り値Ａ２、ＩＳＯ感度Ｉ２を演算すると共に、求めたシャッタスピードＳ２およびＩＳＯ感度Ｉ２に応じて、分割露光回数Ｎ２を演算する。分割露光数Ｎ２は、上述した分割露光数Ｎ１と同様に求められる。
【００２５】
なお、後述するステップＳ１１４におけるハイダイナミックレンジ処理は、重ね合わせ合成処理を含む。そのため、後述するステップＳ１０２の撮像に基づく画像と、後述するステップＳ１０３の撮像に基づく画像とに被写界深度の相違が発生するのを抑えるため、常に絞り値Ａ１≒絞り値Ａ２としても良い。
【００２６】
ステップＳ１０２において、ＣＰＵ１４は、撮像光学系１２および撮像素子１３を制御して、１回目の撮像を行う。１回目の撮像は、ステップＳ１０１で演算したシャッタスピードＳ１、絞り値Ａ１、ＩＳＯ感度Ｉ１および分割露光回数Ｎ１にしたがって行われる。ＣＰＵ１４は、ステップＳ１０１で演算した各撮影条件にしたがってＮ１回の分割露光を行い、Ｎ１枚の画像を生成する。
【００２７】
ステップＳ１０３において、ＣＰＵ１４は、撮像光学系１２および撮像素子１３を制御して、２回目の撮像を行う。２回目の撮像は、ステップＳ１０１で演算したシャッタスピードＳ２、絞り値Ａ２、ＩＳＯ感度Ｉ２および分割露光回数Ｎ２にしたがって行われる。ＣＰＵ１４は、ステップＳ１０１で演算した各撮影条件にしたがってＮ２回の分割露光を行い、Ｎ２枚の画像を生成する。
【００２８】
ステップＳ１０４において、ＣＰＵ１４は、１回目の撮像に関する温度の推測を行う。ＣＰＵ１４は、ステップＳ１０２の撮像により生成した画像のうち、撮像素子１３のＯＢ領域に対応する部分に対応する画像データに基づいて、温度を推測する。温度の推測は、予め定められたテーブルを用いて求められる。
【００２９】
ステップＳ１０５において、ＣＰＵ１４は、ステップＳ１０４において推測した温度に基づいて、暗電流成分補正を実行するか否かを判定する。暗電流成分補正を実行すると判定すると、ＣＰＵ１４は、ステップＳ１０６に進む。一方、暗電流成分補正を実行しないと判定すると、ＣＰＵ１４は、後述するステップＳ１０８に進む。
【００３０】
ＣＰＵ１４は、ステップＳ１０４において推測した温度と所定の閾値とを比較することにより判定を行う。閾値は予め実験などにより求められた値である。一般に暗電流成分は、温度が上昇するほど増加することが知られている。したがって、ＣＰＵ１４は、ステップＳ１０４において推測した温度が所定の閾値を上回る場合には、暗電流成分の補正が必要と判定し、ステップＳ１０４において推測した温度が所定の閾値を下回る場合には、暗電流成分の補正は不要と判定する。
【００３１】
ステップＳ１０６において、ＣＰＵ１４は、１回目の撮像に関する暗電流成分の補正データを作成する。ＣＰＵ１４は、ステップＳ１０４で推測した温度と、予め取得された基準暗黒画像とに基づいて、公知技術と同様に暗電流成分の補正データを作成する。
【００３２】
ステップＳ１０７において、ＣＰＵ１４は、１回目の撮像に関する暗電流成分の補正処理を行う。ＣＰＵ１４は、ステップＳ１０２の撮像により生成したＮ１枚の画像のそれぞれについて、ステップＳ１０６で作成した暗電流成分の補正データに基づき、公知技術と同様に暗電流成分の補正処理を行う。暗電流成分の補正処理は、例えば、ステップＳ１０２の撮像により生成したＮ１枚の画像の画像データから、ステップＳ１０６で作成した暗電流成分の補正データを減算することにより行われる。
【００３３】
ステップＳ１０８において、ＣＰＵ１４は、１回目の撮像に関する重ね合わせ処理を行う。ＣＰＵ１４は、ステップＳ１０７において暗電流成分の補正処理を施した後のＮ１枚の画像に対して重ね合わせ処理を行う。この重ね合わせ処理は、上述したＮ１枚の画像を合成することにより、ランダムノイズを低減するための処理である。重ね合わせ処理は公知技術と同様に行われる。
【００３４】
ステップＳ１０９において、ＣＰＵ１４は、２回目の撮像に関する温度の推測を行う。ＣＰＵ１４は、ステップＳ１０３の撮像により生成した画像のうち、撮像素子１３のＯＢ領域に対応する部分に対応する画像データに基づいて、温度を推測する。温度の推測は、ステップＳ１０４と同様に、予め定められたテーブルを用いて求められる。
【００３５】
ステップＳ１１０において、ＣＰＵ１４は、暗電流成分の補正を実行するか否かを判定する。暗電流成分の補正を実行すると判定すると、ＣＰＵ１４は、ステップＳ１１１に進む。一方、暗電流成分の補正を実行しないと判定すると、ＣＰＵ１４は、後述するステップＳ１１３に進む。
【００３６】
ＣＰＵ１４は、ステップＳ１０９において推測した温度と所定の閾値とを比較することにより判定を行う。この判定は、ステップＳ１０５と同様に行われる
ステップＳ１１１において、ＣＰＵ１４は、２回目の撮像に関する暗電流成分のデータを作成する。ＣＰＵ１４は、ステップＳ１０４で推測した温度と、予め取得された基準暗黒画像とに基づいて、ステップＳ１０６と同様に暗電流成分の補正データを作成する。
【００３７】
ステップＳ１１２において、ＣＰＵ１４は、２回目の撮像に関する暗電流成分の補正処理を行う。ＣＰＵ１４は、ステップＳ１０３の撮像により生成したＮ２枚の画像のそれぞれについて、ステップＳ１１１で作成した暗電流成分の補正データに基づき、ステップＳ１０７と同様に暗電流成分の補正処理を行う。
【００３８】
ステップＳ１１３において、ＣＰＵ１４は、２回目の撮像に関する重ね合わせ処理を行う。ＣＰＵ１４は、ステップＳ１１２において暗電流成分の補正処理を施した後のＮ２枚の画像に対して重ね合わせ処理を行う。この重ね合わせ処理は、上述したＮ２枚の画像を合成することにより、ランダムノイズを低減するための処理である。重ね合わせ処理はステップＳ１０８と同様に行われる。
【００３９】
ステップＳ１１４において、ＣＰＵ１４は、ステップＳ１０８の重ね合わせ処理により生成された画像と、ステップＳ１１３の重ね合わせ処理により生成された画像とに基づいて、ハイダイナミックレンジ処理を行う。このハイダイナミックレンジ処理は、上述した２枚の画像を合成することにより、ダイナミックレンジを拡大するための処理である。この処理における合成処理は、公知技術と同様に行われる。
【００４０】
ステップＳ１１５において、ＣＰＵ１４は、ステップＳ１１４のハイダイナミックレンジ処理により生成された最終画像を記録して、一連の処理を終了する。なお、ＣＰＵ１４は、最終画像を、記録Ｉ／Ｆ１７を介して接続された記憶媒体２２に記録しても良いし、メインメモリ１６に一時記録しても良いし、不図示の外部Ｉ／Ｆを介して接続された電子カメラ１１の外部機器に記録しても良い。
【００４１】
さらに、ＣＰＵ１４は、最終画像と共に、画像処理の過程で取得または生成された画像（例えば、ステップＳ１０２およびステップＳ１０３で生成された画像など）を記録しても良い。
【００４２】
以上説明したように、本実施形態によれば、測光の結果に基づいて、互いに異なる少なくとも２種類の撮影条件を演算し、演算された第１の撮影条件で被写界を繰り返し撮像し、複数枚の画像を生成するとともに、第１の撮影条件とは異なる第２の撮影条件で被写界を撮像し、複数枚の画像を生成する。そして、第１の撮影条件にしたがって生成された複数枚の画像を合成することによりノイズ低減処理を行い、第１の合成画像を生成するとともに、第２の撮影条件にしたがって生成された複数枚の画像を合成することによりノイズ低減処理を行い、第２の合成画像を生成する。さらに、第１の合成画像と第２の合成画像とを合成することによりダイナミックレンジ拡大処理を行い、第３の合成画像を生成し、生成した第３の合成画像を記録する。すなわち、ノイズ低減処理により熱ノイズを低減した第１の合成画像および第２の画像を生成し、それらの画像をさらに合成することにより、ダイナミックレンジが拡大された第３の合成画像を生成する。したがって、ダイナミックレンジを確保しつつ、熱ノイズを低減することができる。
【００４３】
また、本実施形態によれば、第１の撮影条件にしたがって生成された複数枚の画像、および、第２の撮影条件にしたがって生成された複数枚の画像に対して、暗電流成分を補正する処理を施す補正部を備え、補正部による暗電流の補正後に第１の合成画像および第２の合成画像を生成する。したがって、各合成画像の生成に用いられる画像のランダムノイズを低減しておくことにより、最終的に生成される画像の画質を向上させることが期待できる。
【００４４】
また、本実施形態によれば、補正部による暗電流成分の補正を行うか否かを判定する判定部を備え、補正部は、判定部により暗電流成分の補正を行うと判定された場合のみ、暗電流成分の補正を行う。したがって、必要な場合のみ暗電流成分の補正を行うことができるので、処理時間が不要に増大するのを防ぐことができる。
【００４５】
なお、本実施形態では、図２のフローチャートのステップＳ１０２およびＳ１０３において、異なる撮影条件で２回の撮像を行う例を示したが、本発明はこの例に限定されない。例えば、標準的な露出および撮影条件で１回と、上下に所定段（例えば、＋１段および−１段）ずらした露出および撮影条件でそれぞれ撮像を行うことにより、露出の異なる３回の撮像を行う構成としても良い。
【００４６】
また、本字実施形態では、図２のフローチャートのステップＳ１０５およびＳ１１０において、暗電流成分の補正処理を行うか否かを判定する例を示したが、本発明はこの例に限定されない。例えば、常に暗電流成分の補正を行っても良いし、操作部１８を介したユーザ操作やユーザの指定に基づいて暗電流成分の補正を行っても良い。また、本実施形態で説明した、暗電流成分の補正処理を行うか否かを判定方法は一例であり、本発明はこの例に限定されない。例えば、温度センサなどにより求めた温度に基づいて判定を行っても良いし、他の方法で判定を行っても良い。
【００４７】
また、本実施形態の図２のフローチャートのステップＳ１０２およびＳ１０３で説明した処理の順番を入れ替えても良い。また、図２のフローチャートのステップＳ１０４以降の処理を任意のタイミングで行っても良い。例えば、電子カメラ１１において連写撮影などを行う場合には、撮影待機時間を短縮するために、図２のフローチャートのステップＳ１０１からＳ１０３の処理のみを繰り返し行い、その後に、ステップＳ１０４以降の処理を行っても良い。
【００４８】
また、本実施形態では、図２のフローチャートを参照して、ソフト的に処理を行う例を示したが、本発明はこの例に限定されない。例えば、図２のフローチャートに示した処理の一部または全部をハード的に実現しても良い。
【００４９】
また、本実施形態では、本発明の技術を電子カメラ１１において実現する例について説明した。しかしながら、本発明はこれに限定されるものではない。例えば、一眼レフタイプの電子カメラや動画撮影を行うムービーカメラなどにも本発明を同様に適用することができる。また、本実施形態で説明した撮像素子１３（図１参照）は、ＣＭＯＳセンサでもＣＣＤセンサでもその他の撮像センサであっても良い。
【００５０】
また、コンピュータとプログラムとにより、上述した実施形態で説明した画像処理装置を実行しても良い。
【００５１】
図３に示すコンピュータ３１は、データ読込部３２、記憶装置３３、ＣＰＵ３４、メモリ３５および入出力Ｉ／Ｆ３６、バス３７を有している。データ読込部３２、記憶装置３３、ＣＰＵ３４、メモリ３５および入出力Ｉ／Ｆ３６は、バス３７を介して相互に接続されている。さらに、コンピュータ３１には、入出力Ｉ／Ｆ３６を介して、入力デバイス３８（キーボード、ポインティングデバイスなど）とモニタ３９とがそれぞれ接続されている。なお、入出力Ｉ／Ｆ３６は、入力デバイス３８からの各種入力を受け付けるとともに、モニタ３９に対して表示用のデータを出力する。
【００５２】
ＣＰＵ３４は、コンピュータ３１の各部を統括的に制御するプロセッサである。このＣＰＵ３４は、上記の電子カメラ１１のＣＰＵ１４による処理（図２のフローチャートのステップＳ１０４以降の処理）の一部または全部を含むプログラムを実行することによって、上記の電子カメラ１１のＣＰＵ１４として機能する。
【符号の説明】
【００５３】
１１…電子カメラ、１４，３４…ＣＰＵ、１５…ＲＯＭ、１７…記録Ｉ／Ｆ、２２…記憶媒体、３１…コンピュータ
【図１】
2013168724.tif 000003
【図２】
2013168724.tif 000004
【図３】
2013168724.tif 000005